(57)【要約】【課題】灯具への水の侵入を抑制することができる照明装置を提供する。【解決手段】照明装置１は、灯具３と、造営材に取り付けられる筐体１５０と、灯具３と筐体１５０とを接続し、灯具３に電力を供給するための配線８２ａが挿通される第１挿通路７ａを有するアーム部７と、アーム部７に接続され、かつ、灯具３を回動可能に支持するヒンジ部９と、内部に形成された挿通孔１７１ｄに配線８２ａが挿通された管状の止水部材１７１とを備える。また、ヒンジ部９には、第２挿通路７ｂが形成される。そして、止水部材１７１は、ヒンジ部９に設けられ、第２挿通路７ｂの外部７ｕと第２挿通路７ｂとを繋ぐ水の流入経路を封止する。【選択図】図４
2020098733.tif 000002
【特許請求の範囲】
【請求項１】
灯具と、
造営材に取り付けられる筐体と、
前記灯具と前記筐体とを接続し、前記灯具に電力を供給するための配線が挿通される第１挿通路を有するアーム部と、
前記アーム部に接続され、かつ、前記灯具を回動可能に支持するヒンジ部と、
内部に形成された挿通孔に前記配線が挿通された管状の止水部材とを備え、
前記ヒンジ部には、第２挿通路が形成され、
前記止水部材は、前記ヒンジ部に設けられ、前記第２挿通路の外部と前記第２挿通路とを繋ぐ水の流入経路を封止する
照明装置。
【請求項２】
前記ヒンジ部は、前記第１挿通路の少なくとも一部が形成される第１ハウジングと、前記第１ハウジングに対して回動し、かつ、前記第２挿通路の少なくとも一部が形成される第２ハウジングとを有し
前記第２挿通路は、前記灯具の内部と連通し、
前記止水部材は、前記配線が挿通される管状部と、前記管状部の外径方向に延びる鍔部とを有し、
前記鍔部は、前記第２挿通路の外部と前記第２ハウジングの前記第２挿通路とを繋ぐ水の流入経路を封止する
請求項１に記載の照明装置。
【請求項３】
前記管状部は、長手方向に沿って内部に形成される凹凸状の溝部を有する
請求項２に記載の照明装置。
【請求項４】
前記止水部材は、さらに、前記鍔部に連結され、前記管状部よりも肉厚に形成された支持部を有し、
前記第２ハウジングには、前記第１ハウジングに対して回動する軸方向に開く開口が前記第２挿通路に形成され、
前記支持部は、前記第２ハウジングに形成される前記第２挿通路の前記開口に嵌め合わされる
請求項２又は３に記載の照明装置。
【請求項５】
前記止水部材は、複数の前記配線が前記挿通孔に挿通される
請求項１〜４のいずれか１項に記載の照明装置。
【請求項６】
さらに、人の存在の有無を検知する人感センサ、及び、周囲の照度を検知する照度センサのうちの少なくとも一方と、
前記灯具が有する発光モジュールに電力を供給する電源部と、
前記発光モジュールの点灯状態を制御する照明制御部とを備え、
前記照明制御部は、
前記人感センサから人の存在の有無を検知した場合、前記発光モジュールの点灯及び消灯を制御し、
前記照度センサから周囲の照度を検知した場合、前記発光モジュールが発する光の明るさを制御する
請求項１〜５のいずれか１項に記載の照明装置。
【発明の詳細な説明】
【技術分野】
【０００１】
本開示は、照明装置に関する。
【背景技術】
【０００２】
従来の照明装置として特許文献１には、設置面に取り付けられるベースと、外径方向に突出する支持アームを有するセードと、支持アームに対して回転自在に取り付けられ、かつ、ベースに対して回転自在に取り付けられる支持アーム取付片とを備える照明器具が開示されている。
【先行技術文献】
【特許文献】
【０００３】
【特許文献１】特開２０１８−１６６０２６号公報
【発明の概要】
【発明が解決しようとする課題】
【０００４】
従来の照明器具では、例えば、セードの向きを変える際に、セードと支持アーム取付片との締結が緩んだり、ベースと支持アーム取付片との締結が緩んだりすることで、これら締結部分の隙間から水が浸入してしまうことがある。この場合、支持アームの内部に侵入した水がセード内に侵入することがある。
【０００５】
そこで、この照明装置では、灯具への水の侵入を抑制することができる照明装置を提供することを目的とする。
【課題を解決するための手段】
【０００６】
上記目的を達成するために、本開示に係る照明装置の一態様は、灯具と、造営材に取り付けられる筐体と、前記灯具と前記筐体とを接続し、前記灯具に電力を供給するための配線が挿通される第１挿通路を有するアーム部と、前記アーム部に接続され、かつ、前記灯具を回動可能に支持するヒンジ部と、内部に形成された挿通孔に前記配線が挿通された管状の止水部材とを備え、前記ヒンジ部には、第２挿通路が形成され、前記止水部材は、前記ヒンジ部に設けられ、前記第２挿通路の外部と前記第２挿通路とを繋ぐ水の流入経路を封止する。
【発明の効果】
【０００７】
本開示に係る照明装置によれば、灯具への水の侵入を抑制することができる。
【図面の簡単な説明】
【０００８】
【図１】図１は、実施の形態に係る照明装置を例示する斜視図である。
【図２】図２は、実施の形態に係る照明装置を例示する分解斜視図である。
【図３】図３は、図１のＩＩＩ−ＩＩＩ線における照明装置の断面を例示する断面図である。
【図４】図４は、実施の形態に係る照明装置のアーム部、ヒンジ部及び収容体の分解斜視図である。
【図５Ａ】図５Ａは、図２のＶＡ−ＶＡ線における照明装置のアーム部及びヒンジ部の断面を例示する断面図である。
【図５Ｂ】図５Ｂは、図１のＶＢ−ＶＢ線における照明装置のアーム部及びヒンジ部の断面を例示する断面図である。
【図６】図６は、図５ＡのＶＩ−ＶＩ線における照明装置の止水部材の断面を例示する断面図である。
【図７】図７は、実施の形態に係る照明装置を例示するブロック図である。
【発明を実施するための形態】
【０００９】
以下では、本開示の実施の形態について、図面を用いて詳細に説明する。なお、以下に説明する実施の形態は、いずれも本開示の一具体例を示すものである。したがって、以下の実施の形態で示される数値、形状、材料、構成要素、構成要素の配置及び接続形態等は、一例であり、本開示を限定する趣旨ではない。よって、以下の実施の形態における構成要素のうち、本開示の最上位概念を示す独立請求項に記載されていない構成要素については、任意の構成要素として説明される。
【００１０】
また、各図は、模式図であり、必ずしも厳密に図示されたものではない。したがって、例えば、各図において縮尺等は必ずしも一致しない。また、各図において、実質的に同一の構成については同一の符号を付しており、重複する説明は省略または簡略化する。
【００１１】
まず、本実施の形態に係る照明装置について説明する。
【００１２】
（実施の形態）
［構成］
図１は、実施の形態に係る照明装置１を例示する斜視図である。図１では、照明装置１において、電源部３２に対する透光カバー３５の方向をＸ軸プラス方向と規定し、筐体１５０に対する灯具３の方向をＺ軸プラス方向と規定し、Ｘ軸プラス方向及びＺ軸プラス方向と交差する方向をＹ軸プラス方向と規定する。そして、図２以降の各図に示す各方向は、図１に示す各方向に対応させて表示する。
【００１３】
［照明装置１］
図１に示すように、照明装置１は、天井、壁等の造営材に取り付けられる装置である。例えば、照明装置１は、スポットライト、シーリングライト等である。照明装置１は、所定の方向に向けて光を照射することで所定方向を照明することができる装置である。
【００１４】
図２は、実施の形態に係る照明装置１を例示する分解斜視図である。図２に示すように、照明装置１は、取付板１６０と、筐体１５０と、ネジ部材７０と、アーム部７と、ヒンジ部９と、止水部材１７１と、固定板１７２と、灯具３とを備える。
【００１５】
［取付板１６０］
取付板１６０は、設けられたスイッチボックス７１の開口と対向するようにパッキン８１を介して、造営材に取り付けられる。取付板１６０は、筐体１５０を所定の姿勢で固定するための固定板である。
【００１６】
図３は、図１のＩＩＩ−ＩＩＩ線における照明装置１の断面を例示する断面図、及び、部分拡大断面図である。具体的には、取付板１６０は、造営材に設けられたスイッチボックス７１の被締結部と締結されたネジ等の締結部材によって、スイッチボックス７１に固定される。取付板１６０は、円板状の平板である。取付板１６０は、例えば、アルミニウム、又は鉄等を主成分とした金属板、板状である樹脂製の部材等である。
【００１７】
図２及び図３に示すように、取付板１６０は、取付本体部１６１と、２つの第２係止部１６２とを有する。
【００１８】
取付本体部１６１は、パッキン８１を介してスイッチボックス７１に固定される。言い換えれば、取付本体部１６１は、造営材とでパッキン８１を挟むように、造営材の取付面に取り付けられる。
【００１９】
取付本体部１６１は、円板状の平板である。取付本体部１６１は、第１挿通孔１６５と、２つの第１貫通孔１６７とを有する。
【００２０】
第１挿通孔１６５は、スイッチボックス７１から引き出された配線８２等が挿通される。第１挿通孔１６５は、取付本体部１６１の中央部分に形成される。本実施の形態では、取付本体部１６１の中心軸は、第１挿通孔１６５の開口と交差する。
【００２１】
各々の第１貫通孔１６７は、取付板１６０をスイッチボックス７１に固定するための締結部材が挿通される。一方の第１貫通孔１６７は、第１挿通孔１６５と取付本体部１６１のＸ軸プラス方向の外周縁との間に形成され、他方の第１貫通孔１６７は、第１挿通孔１６５から一方の第１貫通孔１６７側とは反対側である、第１挿通孔１６５と取付本体部１６１のＸ軸マイナス方向の外周縁との間に形成される。なお、第１貫通孔１６７は３つ以上形成されていてもよい。
【００２２】
２つの第２係止部１６２は、取付本体部１６１に設けられ、取付本体部１６１と一体的に形成される。各々の第２係止部１６２は、取付本体部１６１の両端に形成される。具体的には、一方の第２係止部１６２は、取付本体部１６１のＹ軸プラス方向の外周縁と接する位置に形成され、他方の第２係止部１６２は、第１挿通孔１６５から一方の第２係止部１６２とは反対側の、取付本体部１６１のＹ軸マイナス方向の外周縁と接する位置に形成される。２つの第２係止部１６２を結ぶ直線と、２つの第１貫通孔１６７を結ぶ直線とは、略直交する。なお、第２係止部１６２は３つ以上形成されていてもよい。
【００２３】
各々の第２係止部１６２は、立上部１６２ａと、第１傾斜面部１６２ｂとを有する。
【００２４】
立上部１６２ａは、取付本体部１６１に対してＺ軸プラス方向に立上がる板状の壁である。立上部１６２ａは、第１傾斜面部１６２ｂの姿勢を支持する。
【００２５】
第１傾斜面部１６２ｂは、立上部１６２ａの先端から屈曲して取付本体部１６１の外周縁に向けて傾斜する板状の部材である。図３に示すように第１傾斜面部１６２ｂは、造営材の取付面と合わさる底面つまり取付板１６０の底面１６０ａに対して所定の角度で傾斜する。より具体的には、一対の第１傾斜面部１６２ｂは、Ｚ軸プラス方向からマイナス方向に向けて広がる方向に傾斜する。第１傾斜面部１６２ｂは、ネジ部材７０が締結される締結孔１６３が形成される。第１傾斜面部１６２ｂがＸ−Ｙ平面に対して傾斜しているため、ネジ部材７０が挿通される締結孔１６３の挿通方向は、取付板１６０の底面１６０ａに対して傾斜する。
【００２６】
筐体１５０は、発光モジュール３３に電力を供給するための配線８２、８２ａが挿通される容器である。また、筐体１５０は、後述する人感センサ９１、後述する照度センサ９２等を収容する。筐体１５０は、金属製であり、例えば、アルミニウム、又は鉄等を主成分とした部材である。本実施の形態では、筐体１５０は、例えばアルミダイカスト工程を経て形成される。
【００２７】
筐体１５０は、板状部１５０ａと、側壁部１５０ｂとを有する。
【００２８】
板状部１５０ａは、平面視で略円形状の板状の部材である。側壁部１５０ｂは、板状部１５０ａの外周縁を囲むように、板状部１５０ａの外周縁から立上る壁状の部材である。
【００２９】
また、筐体１５０は、２つのネジ孔部１５１と、第２貫通孔１５２と、第３貫通孔１５３とを有する。
【００３０】
２つのネジ孔部１５１は、Ｙ軸方向における筐体１５０の側壁部１５０ｂの両側に形成される。具体的には、一方のネジ孔部１５１は、筐体１５０のＹ軸プラス方向の側壁部１５０ｂに形成され、他方のネジ孔部１５１は、板状部１５０ａの中心軸から一方のネジ孔部１５１とは反対側の、筐体１５０のＹ軸マイナス方向の側壁部１５０ｂに形成される。なお、ネジ孔部１５１は３つ以上形成されていてもよい。
【００３１】
ネジ孔部１５１は、取付板１６０の底面１６０ａに対して所定の角度で傾斜する第２傾斜面部を有する。第２傾斜面部は、第２挿通孔が形成される。第２挿通孔は、締結孔１６３と対向する。第２挿通孔には、締結孔１６３とともにネジ部材７０が挿通される。第２傾斜面部がＸ−Ｙ平面に対して傾斜しているため、ネジ部材７０が挿通される第２挿通孔の挿通方向は、取付板１６０の底面１６０ａに対して傾斜する。より具体的には、一対の第２傾斜面部は、Ｚ軸プラス方向からＺ軸マイナス方向に向かって広がる方向に傾斜する。本実施の形態では、第２傾斜面部の面と平行な直線がＸ−Ｙ平面に対して傾斜する傾斜角度は、第１傾斜面部１６２ｂの面と平行な直線がＸ−Ｙ平面に対して傾斜する傾斜角度と略同一である。また、第２傾斜面部の内側の面（筐体１５０の内側の面）と第１傾斜面部１６２ｂのＺ軸プラス方向側の面とが当接する。つまり、Ｚ軸マイナス方向から筐体１５０を平面視した場合に、第１傾斜面部１６２ｂとネジ孔部１５１の第２傾斜面部とは、重なっている。
【００３２】
また、ネジ孔部１５１は、筐体１５０の側壁部１５０ｂに形成される。ネジ孔部１５１は、側壁部１５０ｂの外周面から筐体１５０の中心軸に向かって凹む凹部である。ネジ孔部１５１には、取付板１６０と筐体１５０とを締結するネジ部材７０が設けられる。つまり、ネジ部材７０が取付板１６０と筐体１５０とを締結した状態で、Ｚ軸マイナス方向から筐体１５０を平面視した場合（正面から筐体１５０を視た場合）に、２つのネジ部材７０は、筐体１５０の側壁部１５０ｂの外周面から突出していない、つまり、２つのネジ部材７０は、ネジ孔部１５１に隠れて視認できない。
【００３３】
第２貫通孔１５２は、筐体１５０の板状部１５０ａに形成され、筐体１５０の内部とアーム部７の一端部が取付られる。第２貫通孔１５２には、発光モジュール３３に電力を供給するための配線８２ａが挿通される。また、第２貫通孔１５２には、アーム部７の一端部（軸マイナス方向側の端部）が挿通され、アーム部７が回動可能に取り付けられる。
【００３４】
第３貫通孔１５３は、筐体１５０の側壁部１５０ｂに形成され、筐体１５０の内部と外部とを連通する。第３貫通孔１５３は、人感センサ９１のセンサ部分が露出する開口である。
【００３５】
［ネジ部材７０］
ネジ部材７０は、取付板１６０と筐体１５０とを締結するための、ネジ等の締結部材である。取付板１６０の底面１６０ａと平行な直線に対して傾斜するネジ部材７０の挿通方向と平行な直線とがなす角度で、ネジ部材７０が筐体１５０に挿通されることで、取付板１６０と筐体１５０とを締結する。ネジ部材７０の傾斜はネジ部材７０の頭部（ドライバと係合する部分）が筐体１５０から離れる方向（言い換えれば、Ｚ軸方向と平行な筐体１５０の中心軸から離れる方向）に傾斜している。また、取付板１６０の底面１６０ａに対する筐体１５０の高さ方向（Ｚ軸方向）において、ネジ部材７０は、取付板１６０の底面１６０ａ側から筐体１５０の高さの半分の位置までの間に配置される。つまり、第１傾斜面部１６２ｂ及び第２傾斜面部は、取付板１６０の底面１６０ａに対する筐体１５０の高さ方向において、取付板１６０の底面１６０ａ側の筐体１５０の端部から筐体１５０の高さの半分の位置までの間に配置される。
【００３６】
このため、ネジ部材７０の挿通方向と取付板１６０の底面１６０ａとの角度である角度は、約３５°〜約６０°である。特に、角度は、約４５°〜約５５°にすることが好ましい。
【００３７】
［アーム部７］
図４は、実施の形態に係る照明装置１のアーム部７、ヒンジ部９及び収容体３１の分解斜視図である。
【００３８】
図２及び図４に示すように、アーム部７は、Ｚ軸方向に長尺の部材である。アーム部７は、一端部が筐体１５０の第２貫通孔１５２に接続され、かつ、他端部が灯具３に接続され、収容体３１を支持する。具体的には、アーム部７の一端部は、Ｚ軸方向の周方向に回動可能に、筐体１５０の第２貫通孔１５２に取り付けられる。つまり、アーム部７の一端部は、筐体１５０の第２貫通孔１５２の外部から内部に挿通される。また、アーム部７の他端部は、後述する灯具３を構成する収容体３１の支持アーム部１３１の長手方向と直交する軸心の周方向に、回動可能に取り付けられる。アーム部７の一端部と第２貫通孔１５２との間にはＯリングが設けられ、アーム部７の他端部と収容体３１の支持アーム部１３１との間にもＯリングが設けられる。支持アーム部１３１は、ヒンジ部９の一部である。なお、支持アーム部１３１は、アーム部７と別部材であってもよい。
【００３９】
アーム部７の内部には、灯具３に電力を供給するための配線８２ａが挿通される挿通孔１７０ｂが形成される。挿通孔１７０ｂは、Ｚ軸方向に延び、筐体１５０の内部と連通する。配線８２ａが照明装置１の外部に露出しないため、配線８２ａの損傷が抑制される。挿通孔１７０ｂは、第１挿通路７ａの少なくとも一部を構成する。
【００４０】
アーム部７には、支持アーム取付部１７０が形成される。支持アーム取付部１７０は、収容体３１の支持アーム部１３１と回動可能に係合することで、支持アーム部１３１とともにヒンジ部９としての役割を果たす。
【００４１】
支持アーム取付部１７０と支持アーム部１３１とは、回転軸心と略平行に挿入されたネジ１７５によって固定される。支持アーム取付部１７０は、アーム部７の他端部、つまり、Ｚ軸プラス方向側の端部に形成される。支持アーム取付部１７０は、挿通孔１７０ｂと連通する有底筒状であり、止水部材１７１の少なくとも一部、及び、Ｏリング１７４を収容する。Ｏリング１７４は、支持アーム取付部１７０と支持アーム部１３１との間を封止する。
【００４２】
アーム部７は、金属製であり、例えば、アルミニウム、又は鉄等を主成分とした部材である。本実施の形態では、アーム部７は、例えばアルミダイカスト工程を経て形成される。
【００４３】
［ヒンジ部９］
図５Ａは、図２のＶＡ−ＶＡ線における照明装置１のアーム部７及びヒンジ部９の断面を例示する断面図である。図５Ｂは、図１のＶＢ−ＶＢ線における照明装置１のアーム部７及びヒンジ部９の断面を例示する断面図である。
【００４４】
図４、図５Ａ及び図５Ｂに示すように、ヒンジ部９は、アーム部７及び収容体３１に接続される。支持アーム取付部１７０の内部空間は挿通孔１７０ｂと連通し、支持アーム部１３１の内部空間は収容体３１の収容空間３１ｃ、及び、支持アーム取付部１７０の内部空間と連通する。
【００４５】
支持アーム部１３１には、後述する止水部材１７１の支持部１７１ａが挿入され嵌め合わされる収容凹部１３１ａが形成される。収容凹部１３１ａは、収容体３１の挿通孔１３１ｂと連通する。収容凹部１３１ａと挿通孔１３１ｂとが第２挿通路７ｂを構成する。挿通孔１３１ｂは、収容体３１に形成された収容空間３１ｃと連通する。なお、支持アーム取付部１７０は、第１ハウジングの一例である。支持アーム部１３１は、第２ハウジングの一例である。
【００４６】
支持アーム取付部１７０は、アーム部７に一体的に形成されるが、アーム部７と別部材であってもよい。また、支持アーム部１３１は、収容体３１に一体的に形成されるが、収容体３１と別部材であってもよい。
【００４７】
［止水部材１７１］
止水部材１７１は、長尺な管状のパッキンである。止水部材１７１には、内部の挿通孔１７１ｄに複数の配線８２ａが挿通される。止水部材１７１は、ヒンジ部９内において、第１挿通路７ａから第２挿通路７ｂに跨って配置され、第２挿通路の外部７ｕと第２挿通路７ｂとを繋ぐ水の流入経路を封止する。本実施の形態では、挿通孔１７１ｄは、第１挿通路７ａの一部と第２挿通路７ｂの一部とを構成し、アーム部７の挿通孔１７０ｂ及びヒンジ部９の収容凹部１３１ａと連通する。
【００４８】
また、止水部材１７１は、複数の配線８２ａを１つに束ねる役目も果たしている。水部材は、例えば、ゴム、又はテフロン（登録商標）等の樹脂製の弾性体であり、弾性変形可能である。本実施の形態では、止水部材１７１の内部の挿通孔１７１ｄには、電源部３２に電力を供給するための２本の配線８２ａと、電源部３２のグランド用のアース線とが挿通される。
【００４９】
図６は、図５ＡのＶＩ−ＶＩ線における照明装置１の止水部材１７１の断面を例示する断面図である。図６に示すように、また、止水部材１７１は、長手方向に沿って内部に形成される凹凸状の溝部１７１ｈを有する。つまり、挿通孔１７１ｄの内面には、凹凸状の溝部１７１ｈが形成される。
【００５０】
図４、図５Ａ及び図５Ｂに示すように、止水部材１７１は、管状部１７１ｃと、鍔部１７１ｂと、支持部１７１ａとを有する。
【００５１】
管状部１７１ｃは、その断面が略楕円状又は三日月状の長尺な管である。管状部１７１ｃには、内部の挿通孔１７１ｄに配線８２ａが挿通される。具体的には、管状部１７１ｃの一端部は、アーム部７の第１挿通路７ａと連通する。管状部１７１ｃには、アーム部７の第１挿通路７ａを導通した複数の配線８２ａが管状部１７１ｃの一端部から挿通される。
【００５２】
鍔部１７１ｂは、管状部１７１ｃの他端側に形成され、管状部１７１ｃの径方向に突出する鍔状の部分である。鍔部１７１ｂは、管状部１７１ｃと反対側の面が収容体３１の支持アーム部１３１と当接することで、第２挿通路の外部７ｕと支持アーム部１３１の第２挿通路７ｂとを繋ぐ水の流入経路を封止する。言い換えれば、鍔部１７１ｂは、止水部材１７１の挿通孔１７１ｄを除いて、支持アーム部１３１の第２挿通路７ｂを封止する。
【００５３】
支持部１７１ａは、管状部１７１ｃの他端部に形成され、鍔部１７１ｂの管状部１７１ｃ側と反対側に形成される。支持部１７１ａは、管状部１７１ｃよりも肉厚に形成される。支持部１７１ａは、支持アーム部１３１に形成される第２挿通路７ｂの開口に嵌め合わされる。支持部１７１ａは、支持アーム部１３１の支持穴に挿入され、支持される。つまり、支持部１７１ａは、この支持穴の形状と同様の形状であり、支持穴に対してズレ難いように支持される。
【００５４】
［固定板１７２］
固定板１７２は、止水部材１７１を支持アーム部１３１に固定するための板状の部材である。固定板１７２は、止水部材１７１が挿通される挿通孔１７２ａと、複数のネジ孔とが形成される。固定板１７２は、挿通孔１７２ａに止水部材１７１の管状部１７１ｃが挿通されて止水部材１７１の鍔部１７１ｂに引っ掛かる状態で、複数のネジ１７３によって支持アーム部１３１に固定される。つまり、固定板１７２は止水部材１７１の鍔部１７１ｂを支持アーム部１３１に押し付けるように支持アーム部１３１に固定されるため、鍔部１７１ｂと支持アーム部１３１との間を封止する。固定板１７２は、アルミニウム等を主成分とした金属板、樹脂板等である。
【００５５】
［灯具３］
図２及び図３に示すように、灯具３は、アーム部７の他端部に固定され、照明する光を発する器具である。灯具３は、収容体３１と、発光モジュール３３と、取付部材１３１と、支持部材１３５と、光学部材３４と、透光カバー３５と、電源部３２とを備える。
【００５６】
収容体３１は、Ｘ軸方向に長尺な有底筒状の容器である。収容体３１には、内部に収容空間３１ｃが形成される。具体的には、収容体３１のＸ軸プラス方向側が開口し、収容体３１のＸ軸マイナス方向側が閉じている。収容体３１の収容空間３１ｃには、電源部３２、発光モジュール３３、光学部材３４、透光カバー３５等をこの並び順で内部に収容される。
【００５７】
また、収容体３１は、アーム部７の他端部と接続する支持アーム部１３１が、収容体３１の外周に形成される。支持アーム部１３１には、収容体３１のＸ軸マイナス方向側に、支持アーム取付部１７０の第１挿通路７ａと連通する第２挿通路７ｂが形成される。また、支持アーム部１３１には、支持アーム取付部１７０に対して回動する軸方向に開く開口が、第２挿通路７ｂに形成される。第２挿通路７ｂには、アーム部７の第１挿通路７ａを挿通した配線８２ａが挿通される。
【００５８】
さらに、収容体３１は、金属製であり、例えば、アルミニウム、又は鉄等を主成分とした部材である。本実施の形態では、収容体３１は、例えばアルミダイカスト工程を経て形成される。収容体３１は、発光モジュール３３から発生した熱を放熱するヒートシンクとして機能する。
【００５９】
発光モジュール３３は、照明装置１が周囲を照明するための光を出射する。発光モジュール３３は、光を放射状に発するＬＥＤ（Ｌｉｇｈｔ  Ｅｍｉｔｔｉｎｇ  Ｄｉｏｄｅ）を有するモジュールである。発光モジュール３３は、収容体３１の内部形状（収容体３１をＸ軸プラス方向から見た場合の形状）に応じた形状に形成され、本実施の形態では円板状である。
【００６０】
発光モジュール３３は、ネジ及び支持部材１３５によって取付部材１３１に固定される。支持部材１３５は、発光モジュール３３を取付部材１３１とで挟むように取付部材１３１に固定される。支持部材１３５は、例えば、ＰＢＴ、ポリカーボネート等の樹脂材料である。また、取付部材１３１は、平板状の金属製である。取付部材１３１は、発光モジュール３３から発生した熱を効率よく収容体３１に伝導させるように、収容体３１に固定される。このように発光モジュール３３は、収容体３１、アーム部７等を介して間接的に筐体１５０に保持される。
【００６１】
取付部材１３１は、収容体３１の内部空間をＸ軸プラス方向側とＸ軸マイナス方向側とを仕切る。具体的には、取付部材１３１は、Ｘ軸プラス方向側の透光カバー３５、光学部材３４、及び、発光モジュール３３と、Ｘ軸マイナス方向側の電源部３２との間を仕切る。
【００６２】
発光モジュール３３は、光源３３ａと、実装基板３３ｂとを有する。
【００６３】
光源３３ａは、例えば白色光を出射するように構成される。光源３３ａは、ＣＯＢ（Ｃｈｉｐ  Ｏｎ  Ｂｏａｒｄ）型ＬＥＤで構成され、実装基板３３ｂと、実装基板３３ｂ上に実装されたベアチップ（ＬＥＤチップ）である複数の青色ＬＥＤと、それら青色ＬＥＤを封止し、黄色蛍光体を含む封止部材とを備える。
【００６４】
実装基板３３ｂは、複数のＬＥＤを実装するための基板であり、円板状である。実装基板３３ｂは、例えばセラミックス基板、樹脂基板又は絶縁被覆されたメタルベース基板等である。また、実装基板３３ｂは、取付部材１３１に固定される。なお、実装基板３３ｂには、ＬＥＤを発光させるために、直流電流を電源部３２から受電する一対の電極端子（正電極端子及び負電極端子）が形成される（不図示）。
【００６５】
光学部材３４は、透光性の部材である。光学部材３４は、例えばアクリル樹脂（ＰＭＭＡ：Ｐｏｌｙｍｅｔｈｙｌ  ｍｅｔｈａｃｒｙｌａｔｅ）、ポリカーボネート等の透明樹脂材料、又は、ガラス材料等の透明材料によって形成される。
【００６６】
光学部材３４は、収容体３１の内部形状に応じた形状に形成され、円板状である。光学部材３４は、発光モジュール３３の光源３３ａと対向する位置であり、発光モジュール３３の光源３３ａが発する主たる光の光軸上に設けられる。光学部材３４は、発光モジュール３３と透光カバー３５との間に配置され、発光モジュール３３と向かい合うように収容体３１の内部に固定される。光学部材３４は、取付部材１３１よりも収容体３１の内部のＸ軸プラス方向側に配置される。光学部材３４は、発光モジュール３３が発する光を透光させ、透光した光を透光カバー３５に出射させる。
【００６７】
なお、光学部材３４は、発光モジュール３３から入射された光を透光させて、光の向きを制御して光を出射させる配光制御機能を有していてもよい。例えば、光学部材３４は、フレネルレンズ等であってもよい。
【００６８】
透光カバー３５は、透光性の部材である。透光カバー３５は、例えばＰＭＭＡ、ポリカーボネート等の透明樹脂材料、又は、ガラス材料等の透明材料によって形成される。
【００６９】
透光カバー３５は、収容体３１の内部形状に応じた形状に形成され、平面視で略円形状である。透光カバー３５は、光を透光させる平板状のカバー部と、カバー部をＸ軸方向から平面視したときの外周端縁に形成され、カバー部から立上る部分である被係合部とを有する。透光カバー３５の被係合部が収容体３１の係合部と係合することで、透光カバー３５は、収容体３１に固定される。透光カバー３５は、光学部材３４、発光モジュール３３、電源部３２等を収容した収容体３１の開口を封止する蓋の役割を果たす。
【００７０】
透光カバー３５は、光学部材３４と対向する位置、つまり、発光モジュール３３の光源３３ａが発する主たる光の光軸上（Ｘ軸プラス方向）に設けられる。透光カバー３５は、光学部材３４のＸ軸プラス方向側に配置され、光学部材３４と向かい合うように収容体３１の内部に固定される。透光カバー３５は、取付部材１３１よりも収容体３１の内部のＸ軸プラス方向側に配置される。透光カバー３５は、光学部材３４を透光した発光モジュール３３が発する光をさらに透光させ、透光した光を灯具３の外側に出射させる。
【００７１】
なお、カバー部は、発光モジュール３３から入射された光を拡散させる光拡散機能を有していてもよい。カバー部は、光拡散材が内部又は表面に分散された乳白色の部材、表面に微小な凹凸加工を施すことで形成した部材等であってもよい。
【００７２】
電源部３２は、発光モジュール３３に電力を供給する電源回路が内蔵されたモジュールである。電源部３２に内蔵された電源回路は、電源部３２に接続された配線８２ａから供給された交流電流を直流電流に変換し、変換した直流電流を、リード線を介して発光モジュール３３の光源３３ａに供給する。
【００７３】
電源部３２は、取付部材１３１よりも収容体３１の内部のＸ軸マイナス方向側に配置される。つまり、電源部３２は、収容体３１内の底側（最も奥側）に収容され、取付部材１３１によって移動しないように保持される。つまり、電源部３２のＸ軸プラス方向側の端部が取付部材１３１に支持され、取付部材１３１のＸ軸マイナス方向側の端部が収容体３１の内部に支持される。
【００７４】
図５は、実施の形態に係る照明装置１を例示するブロック図である。図５に示すように、照明装置１は、さらに、人感センサ９１と、照度センサ９２と、照明制御部３９とを備える。なお、照明装置１は、人感センサ９１及び照度センサ９２のうちの少なくとも一方を備えていればよく、照明装置１が人感センサ９１及び照度センサ９２の両方を備えることが必須の構成要件ではない。
【００７５】
［人感センサ９１］
図７は、実施の形態に係る照明装置１を例示するブロック図である。図７に示すように、人感センサ９１は、照明装置１の周囲における人の存在の有無を検知するセンサである。人感センサ９１は、人の存在の有無を検知すると、検知結果を示す検知情報を照明制御部３９に送信する。
【００７６】
［照度センサ９２］
照度センサ９２は、照明装置１の周囲の照度を検知するための明るさセンサである。照度センサ９２は、周囲の明るさを検知すると、周囲の照度を示す照度情報を照明制御部３９に送信する。
【００７７】
［照明制御部３９］
照明制御部３９は、発光モジュール３３の点灯及び消灯を制御するコントローラであり、例えば筐体１５０に収容される。照明制御部３９は、人感センサ９１から取得した検知情報に基づいて、発光モジュール３３の点灯及び消灯を制御する。例えば、照明制御部３９は、人感センサ９１から検知情報を取得すると、発光モジュール３３を点灯させる制御コマンドを電源部３２に送信したり、人感センサ９１から検知情報を取得すると、点灯している発光モジュール３３を消灯させる制御コマンドを電源部３２に送信したりする。これにより、照明装置１は、人が存在すれば点灯し、人が存在しなくなれば消灯する。
【００７８】
また、照明制御部３９は、発光モジュール３３の点灯状態を制御するコントローラでもある。照明制御部３９は、照度センサ９２から取得した照度情報に基づいて、発光モジュール３３が発する光の明るさを制御する。例えば、照明制御部３９は、照度センサ９２から照度情報を取得すると、照度情報が示す明るさに応じて、発光モジュール３３を点灯させる制御コマンドを電源部３２に送信する。具体的には、照度センサ９２の周囲が明るければ、発光モジュール３３の発する光の光量が少ない制御コマンドを電源部３２に送信したり、照度センサ９２の周囲が暗ければ、発光モジュール３３の発する光の光量が多い制御コマンドを電源部３２に送信したりする。これにより、照明装置１は、周囲の照度に応じて、明るく点灯したり僅かな明るさで点灯したりする。
【００７９】
［作用効果］
次に、本実施の形態における照明装置１の作用効果について説明する。
【００８０】
上述したように、本実施の形態に係る照明装置１は、灯具３と、造営材に取り付けられる筐体１５０と、灯具３と筐体１５０とを接続し、灯具３に電力を供給するための配線８２ａが挿通される第１挿通路７ａを有するアーム部７と、アーム部７に接続され、かつ、灯具３を回動可能に支持するヒンジ部９と、内部に形成された挿通孔１７１ｄに配線８２ａが挿通された管状の止水部材１７１とを備える。また、ヒンジ部９には、第２挿通路７ｂが形成される。そして、止水部材１７１は、ヒンジ部９に設けられ、第２挿通路の外部７ｕと第２挿通路７ｂとを繋ぐ水の流入経路を封止する。
【００８１】
これによれば、配線８２ａが挿通される第２挿通路７ｂに止水部材１７１が設けられるため、支持アーム部１３１内の第２挿通路７ｂを止水部材１７１が封止する。このため、支持アーム取付部１７０内及び支持アーム部１３１内に水が侵入したとしても、支持アーム取付部１７０内及び支持アーム部１３１内から第２挿通路７ｂを経由して灯具３に水が浸入し難い。
【００８２】
したがって、この照明装置１では、灯具３への水の侵入を抑制することができる。
【００８３】
また、本実施の形態に係る照明装置１において、ヒンジ部９は、第１挿通路７ａの少なくとも一部が形成される支持アーム取付部１７０と、支持アーム取付部１７０に対して回動し、かつ、第２挿通路７ｂの少なくとも一部が形成される支持アーム部１３１とを有する。また、第２挿通路７ｂは、灯具３の内部と連通する。さらに、止水部材１７１は、配線８２ａが挿通される管状部１７１ｃと、管状部１７１ｃの外径方向に延びる鍔部１７１ｂとを有する。そして、鍔部１７１ｂは、第２挿通路の外部７ｕと支持アーム部１３１の第２挿通路７ｂとを繋ぐ水の流入経路を封止する。
【００８４】
これによれば、止水部材１７１の鍔部１７１ｂが第２挿通路の外部７ｕと第２挿通路７ｂとの間を封止するため、より確実に灯具３への水の侵入を抑制することができる。
【００８５】
また、本実施の形態に係る照明装置１において、管状部１７１ｃは、長手方向に沿って内部に形成される凹凸状の溝部１７１ｈを有する。
【００８６】
これによれば、配線８２ａと管状部１７１ｃの挿通孔１７１ｄの内面との間に空気の移動促す隙間を形成することができるため、溝部１７１ｈを形成しない場合に比べて、灯具３で暖められた空気がこの隙間を経由して照明装置１の外部に流れ易くなる。このため、灯具３内に結露が発生し難くなる。
【００８７】
また、本実施の形態に係る照明装置１において、止水部材１７１は、さらに、鍔部１７１ｂに連結され、管状部１７１ｃよりも肉厚に形成された支持部１７１ａを有する。また、支持アーム部１３１には、支持アーム取付部１７０に対して回動する軸方向に開く開口が第２挿通路７ｂに形成される。そして、支持部１７１ａは、支持アーム部１３１に形成される第２挿通路７ｂの開口に嵌め合わされる。
【００８８】
これによれば、止水部材１７１の支持部１７１ａは、支持アーム部１３１の収容凹部１３１ａに支持されるため、止水部材１７１を所定の姿勢で支持し易くなり、かつ、第２挿通路７ｂを封止することができる。
【００８９】
また、本実施の形態に係る照明装置１において、止水部材１７１は、複数の配線８２ａが挿通孔１７１ｄに挿通される。
【００９０】
これによれば、止水部材１７１は、複数の配線８２ａを束ねることができる。
【００９１】
また、本実施の形態に係る照明装置１は、さらに、人の存在の有無を検知する人感センサ９１、及び、周囲の照度を検知する照度センサ９２のうちの少なくとも一方と、灯具３が有する発光モジュール３３に電力を供給する電源部３２と、発光モジュール３３の点灯状態を制御する照明制御部３９とを備える。また、照明制御部３９は、人感センサ９１から人の存在の有無を検知した場合、発光モジュール３３の点灯及び消灯を制御し、照度センサ９２から周囲の照度を検知した場合、発光モジュール３３が発する光の明るさを制御する。
【００９２】
この照明装置１は、例えばスポットライト、シーリングライト等の照明装置１に適用できる。
【００９３】
（その他変形例）
以上、本開示に係る照明装置について、実施の形態に基づいて説明したが、本開示は、上記の各実施の形態に限定されるものではない。
【００９４】
例えば、上記の各実施の形態において、電源部が収容体に収容されているがこれには限定されない。電源部は、筐体に収容されていてもよく、収容体及び筐体の外部に配置されていてもよい。
【００９５】
また、上記の各実施の形態において、照明制御部が筐体に収容されているがこれには限定されない。照明制御部は、収容体に収容されていてもよい。
【００９６】
なお、上記の各実施の形態に対して当業者が思い付く各種変形を施して得られる形態や、本開示の趣旨を逸脱しない範囲で各実施の形態における構成要素及び機能を任意に組み合わせることで実現される形態も本開示に含まれる。
【符号の説明】
【００９７】
１  照明装置
３  灯具
７  アーム部
７ａ  第１挿通路
７ｂ  第２挿通路
７ｕ  第２挿通路の外部
９  ヒンジ部
３２  電源部
３３  発光モジュール
３９  照明制御部
８２、８２ａ  配線
９１  人感センサ
９２  照度センサ
１３１  支持アーム部（第２ハウジング）
１５０  筐体
１７０  支持アーム取付部
１７１  止水部材（第１ハウジング）
１７１ａ  支持部
１７１ｂ  鍔部
１７１ｃ  管状部
１７１ｄ  挿通孔
１７１ｈ  溝部
【図１】
2020098733.tif 000003
【図２】
2020098733.tif 000004
【図３】
2020098733.tif 000005
【図４】
2020098733.tif 000006
【図５Ａ】
2020098733.tif 000007
【図５Ｂ】
2020098733.tif 000008
【図６】
2020098733.tif 000009
【図７】
2020098733.tif 000010